(57)【特許請求の範囲】
【請求項１】
組織標本の焦点位置を異ならせながら複数の蛍光像を撮像する蛍光顕微鏡と、
前記複数の蛍光像の各々から蛍光画像を生成する生成手段と、
前記蛍光画像から蛍光輝点を抽出する抽出手段と、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する算出手段と、
を備え、
前記算出手段が、一の前記蛍光画像上の全ての前記輝点領域の輝度値を合算した輝度積分値を算出し、複数の前記蛍光画像のうち前記輝度積分値が最大となる蛍光画像における焦点位置を、前記蛍光画像の合焦位置とする
ことを特徴とする蛍光画像の合焦システム。
【請求項２】
請求項１に記載の蛍光画像の合焦システムにおいて、
前記算出手段が、前記輝点領域の輝度積分値を、前記輝点領域の輝度値とそれを補正した補正輝度値との関係があらかじめ決定されたルックアップテーブルを用いて算出することを特徴とする蛍光画像の合焦システム。
【請求項３】
組織標本の焦点位置を異ならせながら複数の蛍光像を撮像する蛍光顕微鏡と、
前記複数の蛍光像の各々から蛍光画像を生成する生成手段と、
前記蛍光画像から蛍光輝点を抽出する抽出手段と、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する算出手段と、
を備え、
前記算出手段が、前記輝点領域の輝度値を蛍光ナノ粒子数に換算し、一の前記蛍光画像上の全ての前記輝点領域における蛍光ナノ粒子数の総数を算出し、複数の前記蛍光画像のうち前記蛍光ナノ粒子数の総数が最大となる蛍光画像における焦点位置を、前記蛍光画像の合焦位置とする
ことを特徴とする蛍光画像の合焦システム。
【請求項４】
請求項３に記載の蛍光画像の合焦システムにおいて、
前記算出手段が、前記輝点領域の輝度値を、あらかじめ走査型電子顕微鏡を用いて計測した蛍光ナノ粒子１個あたりの平均輝度値で除算し蛍光ナノ粒子数に換算することを特徴とする蛍光画像の合焦システム。
【請求項５】
請求項１〜４のいずれか一項に記載の蛍光画像の合焦システムにおいて、
前記蛍光画像から自家蛍光領域を除去する除去手段を備えることを特徴とする蛍光画像の合焦システム。
【請求項６】
請求項１〜５のいずれか一項に記載の蛍光画像の合焦システムにおいて、
前記輝点領域に対しその一部を穴埋めする穴埋め手段を備えることを特徴とする蛍光画像の合焦システム。
【請求項７】
請求項１〜５のいずれか一項に記載の蛍光画像の合焦システムにおいて、
前記輝点領域に対しその一部を削除する削除手段を備えることを特徴とする蛍光画像の合焦システム。
【請求項８】
請求項１〜７のいずれか一項に記載の蛍光画像の合焦システムにおいて、
前記算出手段が、前記蛍光画像の一定の指定領域を対象として、その指定領域に含まれる前記輝点領域の輝度値を算出することを特徴とする蛍光画像の合焦システム。
【請求項９】
組織標本の焦点位置を異ならせながら複数の蛍光像を撮像する工程と、
前記複数の蛍光像の各々から蛍光画像を生成する工程と、
前記蛍光画像から蛍光輝点を抽出する工程と、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する工程と、
を備え、
前記蛍光画像の合焦位置を算出する工程が、一の前記蛍光画像上の全ての前記輝点領域の輝度値を合算した輝度積分値を算出し、複数の前記蛍光画像のうち前記輝度積分値が最大となる蛍光画像における焦点位置を、前記蛍光画像の合焦位置とする工程を含む
ことを特徴とする蛍光画像の合焦方法。
【請求項１０】
組織標本の焦点位置を異ならせながら複数の蛍光像を撮像する工程と、
前記複数の蛍光像の各々から蛍光画像を生成する工程と、
前記蛍光画像から蛍光輝点を抽出する工程と、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する工程と、
を備え、
前記蛍光画像の合焦位置を算出する工程が、前記輝点領域の輝度値を蛍光ナノ粒子数に換算し、一の前記蛍光画像上の全ての前記輝点領域における蛍光ナノ粒子数の総数を算出し、複数の前記蛍光画像のうち前記蛍光ナノ粒子数の総数が最大となる蛍光画像における焦点位置を、前記蛍光画像の合焦位置とする工程を含む
ことを特徴とする蛍光画像の合焦方法。
【請求項１１】
コンピュータに、
組織標本の焦点位置を異ならせながら複数の蛍光像を撮像させる撮像手段、
前記複数の蛍光像の各々から蛍光画像を生成する生成手段、
前記蛍光画像から蛍光輝点を抽出する抽出手段、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する算出手段、
として機能させ、
前記算出手段に、一の前記蛍光画像上の全ての前記輝点領域の輝度値を合算した輝度積分値を算出させ、複数の前記蛍光画像のうち前記輝度積分値が最大となる蛍光画像における焦点位置を、前記蛍光画像の合焦位置とさせる
ための蛍光画像の合焦プログラム。
【請求項１２】
コンピュータに、
組織標本の焦点位置を異ならせながら複数の蛍光像を撮像させる撮像手段、
前記複数の蛍光像の各々から蛍光画像を生成する生成手段、
前記蛍光画像から蛍光輝点を抽出する抽出手段、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する算出手段、
として機能させ、
前記算出手段に、前記輝点領域の輝度値を蛍光ナノ粒子数に換算させ、一の前記蛍光画像上の全ての前記輝点領域における蛍光ナノ粒子数の総数を算出させ、複数の前記蛍光画像のうち前記蛍光ナノ粒子数の総数が最大となる蛍光画像における焦点位置を、前記蛍光画像の合焦位置とさせる
ための蛍光画像の合焦プログラム。
【発明の詳細な説明】
【技術分野】
【０００１】
本発明は蛍光画像の合焦システム、合焦方法および合焦プログラムに関する。
【背景技術】
【０００２】
従来から、がん診断方法として組織標本中の抗原を検出する免疫染色法が知られている。免疫染色法のなかでも、近年では酵素抗体法に代えて蛍光抗体法が使用されることが多くなってきている。「蛍光抗体法」とは、抗体に蛍光体を標識しておき、組織標本の染色（抗原抗体反応）後にその組織標本に励起波長を照射し蛍光発光させ、これを蛍光顕微鏡で観察する手法である。
特許文献１には蛍光抗体法を用いた例が開示されている。特に特許文献１では、生体物質に結合した蛍光体の蛍光輝点数および蛍光強度を蛍光顕微鏡で計測し、生体物質の発現レベルを評価する手法が提案されている。
【０００３】
ところで上記蛍光輝点数および蛍光強度を計測するには、高い倍率と開口数（ＮＡ）を有する光学系が必要となる。光学系の倍率や開口数が高くなると焦点深度が狭くなってしまうため、合焦位置の調整が重要になる。「合焦」とはいわゆるピント合わせのことである。合焦ずれが発生すると、蛍光輝点を含む顕微鏡画像（蛍光画像）において、蛍光輝点を見失う可能性があり、見失うことがなくても蛍光輝点の輝度が低下するためにＳ／Ｎが低くなり、バックグランドノイズの影響を受けやすくなる、といった問題が発生する。
【０００４】
この点、蛍光画像の合焦方法が特許文献２、３に開示されている。
特許文献２の技術では、ユーザーがハンドル（２６）を操作してステージ（２１）を下降させる一方で、顕微鏡画像のコントラスト値を算出し、そのコントラスト値が閾値以上かどうかを比較して当該閾値以上となったときに、合焦したと判断するように構成している（段落００１８、００２３、００２９〜００３６、図１、図３参照）。
【０００５】
特許文献３の技術では、ステージ（１１）を、Ｚ軸方向に下から上に等速移動させるとともにＸＹ平面において等速円移動させ、蛍光マーカー（５５）による円形状の蛍光像を撮像する（段落００６５〜００８２、図７参照）。かかる場合に、Ｚ軸方向の撮影範囲を複数に分け、複数の蛍光像の撮影を行う（段落００８３〜００９０、図８〜図１０参照）。その後、複数の蛍光像に対して周波数解析を実行し、最大周波数成分が最も高い蛍光像を選択し、その蛍光像について蛍光マーカー（５５）の軌跡の像を解析して合焦位置を算出している（段落００９１〜０１０２、図１１、段落０１４２参照）。
【０００６】
その他、焦点深度よりも小さい間隔で焦点位置を切り替えながらその都度画像を撮影し（Z-stack撮影）、撮影画像それぞれを分析することで合焦位置を算出する方法もある（特許文献３の段落００１０、０１３８、０１４３〜０１４４参照）。
【先行技術文献】
【特許文献】
【０００７】
【特許文献１】特開２０１３−５７６３１号公報
【特許文献２】特開２０１０−２５３４号公報
【特許文献３】特開２０１４−９８５７５号公報
【発明の概要】
【発明が解決しようとする課題】
【０００８】
しかしながら、特許文献２の技術では、組織標本の表面に凹凸があり蛍光輝点が光軸方向に分布するような場合、すなわち蛍光輝点が同一平面上に存在せず蛍光輝点の高さ位置にずれがある場合、コントラスト値を用いるがゆえに正確な合焦位置を算出することができない。
この点、特許文献３の技術では、特許文献２の問題を解決しうるものの、ステージのＺ軸方向およびＸＹ平面の移動制御と、蛍光像の撮像および画像解析とが連動した複雑なコントロールが必要となるため、ハードウエアとソフトウエアとの両面から高度な合焦システムが要求される。
Z-stack撮影を用いる方法でも、撮影画像ごとに蛍光輝点１つ１つの推移を解析するため、撮影画像間の同一蛍光輝点のラベリングやマッチングなどが必要となり、分析に時間がかかるという問題がある。
さらに蛍光体が密集してクラスター状となっている箇所は生体物質が多く発現しており、発現レベルを評価する際には非常に重要となるものの、上記のとおり蛍光画像のコントラスト値や周波数解析を用いた合焦方法では、合焦判定時に当該箇所の発現レベル評価に対する寄与のウエイトが小さくなる可能性もある。
【０００９】
したがって本発明の主な目的は、蛍光画像の合焦位置を容易および迅速でかつ定量的に算出することができる蛍光画像の合焦システム、合焦方法および合焦プログラムを提供することにある。
【課題を解決するための手段】
【００１０】
上記課題を解決するため本発明の一態様によれば、
組織標本の焦点位置を異ならせながら複数の蛍光像を撮像する蛍光顕微鏡と、
前記複数の蛍光像の各々から蛍光画像を生成する生成手段と、
前記蛍光画像から蛍光輝点を抽出する抽出手段と、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する算出手段と、
を備え、
前記算出手段が、一の前記蛍光画像上の全ての前記輝点領域の輝度値を合算した輝度積分値を算出し、複数の前記蛍光画像のうち前記輝度積分値が最大となる蛍光画像における焦点位置を、前記蛍光画像の合焦位置とする
ことを特徴とする蛍光画像の合焦システムが提供される。
本発明の他の態様によれば、
組織標本の焦点位置を異ならせながら複数の蛍光像を撮像する蛍光顕微鏡と、
前記複数の蛍光像の各々から蛍光画像を生成する生成手段と、
前記蛍光画像から蛍光輝点を抽出する抽出手段と、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する算出手段と、
を備え、
前記算出手段が、前記輝点領域の輝度値を蛍光ナノ粒子数に換算し、一の前記蛍光画像上の全ての前記輝点領域における蛍光ナノ粒子数の総数を算出し、複数の前記蛍光画像のうち前記蛍光ナノ粒子数の総数が最大となる蛍光画像における焦点位置を、前記蛍光画像の合焦位置とする
ことを特徴とする蛍光画像の合焦システムが提供される。
【００１１】
本発明の他の態様によれば、
組織標本の焦点位置を異ならせながら複数の蛍光像を撮像する工程と、
前記複数の蛍光像の各々から蛍光画像を生成する工程と、
前記蛍光画像から蛍光輝点を抽出する工程と、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する工程と、
を備え、
前記蛍光画像の合焦位置を算出する工程が、一の前記蛍光画像上の全ての前記輝点領域の輝度値を合算した輝度積分値を算出し、複数の前記蛍光画像のうち前記輝度積分値が最大となる蛍光画像における焦点位置を、前記蛍光画像の合焦位置とする工程を含む
ことを特徴とする蛍光画像の合焦方法が提供される。
本発明の他の態様によれば、
組織標本の焦点位置を異ならせながら複数の蛍光像を撮像する工程と、
前記複数の蛍光像の各々から蛍光画像を生成する工程と、
前記蛍光画像から蛍光輝点を抽出する工程と、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する工程と、
を備え、
前記蛍光画像の合焦位置を算出する工程が、前記輝点領域の輝度値を蛍光ナノ粒子数に換算し、一の前記蛍光画像上の全ての前記輝点領域における蛍光ナノ粒子数の総数を算出し、複数の前記蛍光画像のうち前記蛍光ナノ粒子数の総数が最大となる蛍光画像における焦点位置を、前記蛍光画像の合焦位置とする工程を含む
ことを特徴とする蛍光画像の合焦方法が提供される。
【００１２】
本発明の他の態様によれば、
コンピュータに、
組織標本の焦点位置を異ならせながら複数の蛍光像を撮像させる撮像手段、
前記複数の蛍光像の各々から蛍光画像を生成する生成手段、
前記蛍光画像から蛍光輝点を抽出する抽出手段、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する算出手段、
として機能させ、
前記算出手段に、前記輝点領域の輝度値を蛍光ナノ粒子数に換算させ、一の前記蛍光画像上の全ての前記輝点領域における蛍光ナノ粒子数の総数を算出させ、複数の前記蛍光画像のうち前記蛍光ナノ粒子数の総数が最大となる蛍光画像における焦点位置を、前記蛍光画像の合焦位置とさせる
ための蛍光画像の合焦プログラムが提供される。
本発明の他の態様によれば、
コンピュータに、
組織標本の焦点位置を異ならせながら複数の蛍光像を撮像させる撮像手段、
前記複数の蛍光像の各々から蛍光画像を生成する生成手段、
前記蛍光画像から蛍光輝点を抽出する抽出手段、
前記蛍光輝点が存在する輝点領域の輝度値を輝点領域ごとに算出し、一の前記蛍光画像上の全ての輝点領域の輝度値の総計を算出した結果に基づき前記蛍光画像の合焦位置を算出する算出手段、
として機能させ、
前記算出手段に、前記輝点領域の輝度値を蛍光ナノ粒子数に換算させ、一の前記蛍光画像上の全ての前記輝点領域における蛍光ナノ粒子数の総数を算出させ、複数の前記蛍光画像のうち前記蛍光ナノ粒子数の総数が最大となる蛍光画像における焦点位置を、前記蛍光画像の合焦位置とさせる
ための蛍光画像の合焦プログラムが提供される。
【発明の効果】
【００１３】
本発明によれば、蛍光画像の合焦位置を容易かつ迅速に定量的に算出することができる。
【図面の簡単な説明】
【００１４】
【図１】蛍光画像の合焦システムの概略的な構成を示す図である。
【図２】蛍光画像の合焦方法（合焦位置算出処理）を概略的に説明するためのフローチャートである。
【図３】蛍光画像の一例を示す図である。
【図４】蛍光画像から自家蛍光領域を除外する処理を説明するための図である。
【図５】蛍光画像から自家蛍光領域を除外する処理を説明するための図である。
【図６】蛍光輝点の一部を穴埋めする処理を説明するための図である。
【図７】蛍光輝点の一部を削除する処理を説明するための図である。
【図８】輝点領域の面積と輝度値との関係を示すルックアップテーブルの一例を示す図である。
【図９】最適な合焦位置を算出するための処理を説明するための図である。
【図１０】図９の変形例を説明するための図である。
【図１１】蛍光画像から一定の領域を指定する例を説明するための図である。
【図１２】実施例１において焦点位置を切り替えるごとに蛍光画像を生成している例を示す図である。
【図１３】実施例１における合焦位置の算出結果を概略的に示す図である。
【図１４】実施例２における合焦位置の算出結果を概略的に示す図である。
【図１５】比較例１における合焦位置の算出結果を概略的に示す図である。
【図１６】比較例１における問題点を説明するための図である。
【発明を実施するための形態】
【００１５】
以下、図面を参照しながら本発明の好ましい実施形態について説明する。
【００１６】
［蛍光画像の合焦システム］
図１に示すとおり、蛍光画像の合焦システム１は蛍光顕微鏡１０、制御装置６０および表示装置７０を備えている。
蛍光顕微鏡１０はステージ１２、対物レンズ１４、鏡筒１６、接眼レンズ１８および撮像素子２０を備えている。ステージ１２には免疫染色後の組織標本３０が設置される。鏡筒１６にはランプ４０および蛍光キューブ５０が内蔵されている。蛍光キューブ５０は励起フィルター５２、ダイクロイックミラー５４および吸収フィルター５６を備えている。
ランプ４０は励起光を出射するランプである。励起フィルター５２は励起光だけを透過するフィルターである。ダイクロイックミラー５４は所定波長の光を境界として反射または透過するミラーであって、ここでは励起光を反射し蛍光を透過するものである。吸収フィルター５６は励起光を遮断し蛍光だけを透過するフィルターである。
蛍光顕微鏡１０では、ランプ４０が点灯すると、励起光が励起フィルター５２を透過しダイクロイックミラー５４で反射され、対物レンズ１４を通過し組織標本３０に照射される。その結果組織標本３０で蛍光が発光され、蛍光は対物レンズ１４で集光されダイクロイックミラー５４および吸収フィルター５６を透過する。その後、蛍光は蛍光像として接眼レンズ１８を介して観察されるとともに、撮像素子２０に撮像される。
【００１７】
蛍光顕微鏡１０にはこれらを制御する制御装置６０が接続されている。
制御装置６０は制御部６２および記憶部６４を備えている。
制御部６２はステージ１２と接続され、ステージ１２の昇降を制御し焦点位置（高さ位置）を制御しうる。制御部４２は撮像素子２０と接続され、撮像素子２０を制御し蛍光像を撮像させ、その蛍光像を受け蛍光画像を生成しうる。制御部６２はランプ４０と接続され、ランプ４０の点灯および消灯を制御しうる。記憶部６４には図２の合焦位置算出処理を実行するための蛍光画像の合焦プログラムが記憶されている。
制御装置６０には表示装置７０が接続され、表示装置７０には制御装置６０による算出結果などが表示される。
【００１８】
［組織標本］
続いて、組織標本３０について説明する。
組織標本３０は目的生体物質を含む組織切片であって免疫染色剤で染色され、染色後の組織標本３０が蛍光顕微鏡１０のステージ１２に設置される。
【００１９】
（１）目的生体物質
目的生体物質とは、主に病理診断の観点からの検出または定量のために、蛍光標識体を用いた免疫染色の対象とするものをいい、組織切片に発現している生体物質、特にタンパク質（抗原）である。
典型的な目的生体物質としては、各種の癌組織の細胞膜で発現しており、バイオマーカーとして利用することができる生体物質が挙げられる。
【００２０】
（２）免疫染色剤（抗体−蛍光ナノ粒子の結合体）
免疫染色剤としては、蛍光標識の効率を向上させて蛍光の劣化につながる時間経過をなるべく抑えるために、一次抗体および蛍光ナノ粒子が間接的に、つまり抗原抗体反応などを利用した、共有結合以外の結合によって連結される複合体を用いることが好ましい。染色操作を簡便にするため、免疫染色剤として、一次抗体または二次抗体に蛍光ナノ粒子が直結している複合体を用いることもできる。
【００２１】
免疫染色剤の一例として、［目的生体物質に対する一次抗体］…［一次抗体に対する抗体（二次抗体）］〜［蛍光ナノ粒子］が挙げられる。
“…”は抗原抗体反応により結合していることを表し、“〜”が示す結合の態様としては特に限定されず、たとえば、共有結合、イオン結合、水素結合、配位結合、抗原抗体結合、ビオチンアビジン反応、物理吸着、化学吸着などが挙げられ、必要に応じてリンカー分子を介していてもよい。
【００２２】
（３）抗体
一次抗体には、目的生体物質としてのタンパク質を抗原として特異的に認識して結合する抗体（ＩｇＧ）を用いることができる。たとえば、ＨＥＲ２を目的生体物質とする場合は抗ＨＥＲ２抗体を、ＨＥＲ３を目的生体物質とする場合は抗ＨＥＲ３抗体を、それぞれ用いることができる。
二次抗体には、一次抗体を抗原として特異的に認識して結合する抗体（ＩｇＧ）を用いることができる。
一次抗体および二次抗体はいずれも、ポリクローナル抗体であってもよいが、定量の安定性の観点から、モノクローナル抗体が好ましい。抗体を産生する動物（免疫動物）の種類は特に限定されるものではなく、従来と同様、マウス、ラット、モルモット、ウサギ、ヤギ、ヒツジなどから選択すればよい。
【００２３】
（４）蛍光ナノ粒子
蛍光ナノ粒子とは、励起光の照射を受けて蛍光発光するナノサイズの粒子であって、目的生体物質を１分子ずつ輝点として表すのに十分な強度の蛍光を発光しうる粒子である。
蛍光ナノ粒子として、好ましくは量子ドット（半導体ナノ粒子）、蛍光物質集積ナノ粒子が使用される。
【００２４】
（４．１）量子ドット
量子ドットとしては、ＩＩ−ＶＩ族化合物、ＩＩＩ−Ｖ族化合物またはＩＶ族元素を含有する半導体ナノ粒子が使用される。たとえば、ＣｄＳｅ、ＣｄＳ、ＣｄＴｅ、ＺｎＳｅ、ＺｎＳ、ＺｎＴｅ、ＩｎＰ、ＩｎＮ、ＩｎＡｓ、ＩｎＧａＰ、ＧａＰ、ＧａＡｓ、Ｓｉ、Ｇｅなどが挙げられる。
【００２５】
（４．２）蛍光物質集積ナノ粒子
蛍光物質集積ナノ粒子は、有機物または無機物でできた粒子を母体とし、複数の蛍光物質（たとえば、上記量子ドット、蛍光色素など）がその中に内包されているおよび／またはその表面に吸着している構造を有する、ナノサイズの粒子である。
蛍光物質集積ナノ粒子としては、母体と蛍光物質とが、互いに反対の電荷を有する置換基または部位を有し、静電的相互作用が働くものであることが好適である。
蛍光物質集積ナノ粒子としては、量子ドット集積ナノ粒子、蛍光色素集積ナノ粒子などが使用される。
【００２６】
（４．２．１）母体
母体のうち、有機物としては、メラミン樹脂、尿素樹脂、アニリン樹脂、グアナミン樹脂、フェノール樹脂、キシレン樹脂、フラン樹脂など、一般的に熱硬化性樹脂に分類される樹脂；スチレン樹脂、アクリル樹脂、アクリロニトリル樹脂、ＡＳ樹脂（アクリロニトリル−スチレン共重合体）、ＡＳＡ樹脂（アクリロニトリル−スチレン−アクリル酸メチル共重合体）など、一般的に熱可塑性樹脂に分類される樹脂；ポリ乳酸等のその他の樹脂；多糖を例示することができる。
母体のうち、無機物としては、シリカ、ガラスなどを例示することができる。
【００２７】
（４．２．２）量子ドット集積ナノ粒子
量子ドット集積ナノ粒子とは、上記量子ドットが、上記母体の中に内包されている、および／またはその表面に吸着している構造を有する。
量子ドットが母体に内包されている場合、量子ドットは母体内部に分散されていればよく、母体自体と化学的に結合していてもよいし、していなくてもよい。
【００２８】
（４．２．３）蛍光色素集積ナノ粒子
蛍光色素集積ナノ粒子とは、蛍光色素が、上記母体の中に内包されている、および／またはその表面に吸着している構造を有する。
蛍光色素としては、ローダミン系色素分子、スクアリリウム系色素分子、シアニン系色素分子、芳香環系色素分子、オキサジン系色素分子、カルボピロニン系色素分子、ピロメセン系色素分子などを例示することができる。
蛍光色素としては、Ａｌｅｘａ  Ｆｌｕｏｒ（登録商標、インビトロジェン社製）系色素分子、ＢＯＤＩＰＹ（登録商標、インビトロジェン社製）系色素分子、Ｃｙ（登録商標、ＧＥヘルスケア社製）系色素分子、ＨｉＬｙｔｅ（登録商標、アナスペック社製）系色素分子、ＤｙＬｉｇｈｔ（登録商標、サーモサイエンティフィック社製）系色素分子、ＡＴＴＯ（登録商標、ＡＴＴＯ−ＴＥＣ社製）系色素分子、ＭＦＰ（登録商標、Ｍｏｂｉｔｅｃ社製）系色素分子、ＣＦ（登録商標、Ｂｉｏｔｉｕｍ社製）系色素分子、ＤＹ（登録商標、ＤＹＯＭＩＣＳ社製）系色素分子、ＣＡＬ（登録商標、ＢｉｏＳｅａｒｃｈ  Ｔｅｃｈｎｏｌｏｇｉｅｓ社製）系色素分子などを用いることができる。
なお、蛍光色素が母体に内包されている場合、蛍光色素は母体内部に分散されていればよく、母体自体と化学的に結合していてもよいし、していなくてもよい。
【００２９】
（５）組織切片の染色方法
染色方法の一例について説明する。
この染色方法が適用できる組織切片（単に「切片」ともいい、病理切片などの切片も含まれる。）の作製法は特に限定されず、公知の手順により作製されたものを用いることができる。
【００３０】
（５．１）標本作製工程
（５．１．１）脱パラフィン処理
キシレンを入れた容器に、切片を浸漬させ、パラフィン除去する。温度は特に限定されるものではないが、室温で行うことができる。浸漬時間は、３分以上３０分以下であることが好ましい。また必要により浸漬途中でキシレンを交換してもよい。
【００３１】
次いでエタノールを入れた容器に切片を浸漬させ、キシレン除去する。温度は特に限定されるものではないが、室温で行うことができる。浸漬時間は、３分以上３０分以下であることが好ましい。また必要により浸漬途中でエタノールを交換してもよい。
【００３２】
水を入れた容器に、切片を浸漬させ、エタノール除去する。温度は特に限定されるものではないが、室温で行うことができる。浸漬時間は、３分以上３０分以下であることが好ましい。また必要により浸漬途中で水を交換してもよい。
【００３３】
（５．１．２）賦活化処理
公知の方法に倣い、目的生体物質の賦活化処理を行う。賦活化条件に特に定めはないが、賦活液としては、０．０１Ｍのクエン酸緩衝液（ｐＨ６．０）、１ｍＭのＥＤＴＡ溶液（ｐＨ８．０）、５％尿素、０．１Ｍのトリス塩酸緩衝液などを用いることができる。
ｐＨ条件は用いる組織切片に応じてｐＨ２．０〜１３．０の範囲から、シグナルが出て、組織の荒れがシグナルを評価できる程度となる条件で行う。通常はｐＨ６．０〜８．０で行うが、特殊な組織切片ではたとえばｐＨ３．０でも行う。
加熱機器はオートクレーブ、マイクロウェーブ、圧力鍋、ウォーターバスなどを用いることができる。温度は特に限定されるものではないが、室温で行うことができる。温度は５０〜１３０℃、時間は５〜３０分で行うことができる。
【００３４】
次いでＰＢＳを入れた容器に、賦活処理後の切片を浸漬させ、洗浄を行う。温度は特に限定されるものではないが、室温で行うことができる。浸漬時間は、３分以上３０分以下であることが好ましい。また必要により浸漬途中でＰＢＳを交換してもよい。
【００３５】
（５．２）免疫染色工程
免疫染色工程では、目的生体物質を染色するために、目的生体物質に直接的または間接的に結合しうる部位を有する蛍光ナノ粒子を含む免疫染色剤の溶液を、切片に乗せ、目的生体物質との反応を行う。免疫染色工程に用いる免疫染色剤の溶液については、この工程の前にあらかじめ調製しておけばよい。
【００３６】
免疫染色工程を行う上での条件、すなわち免疫染色剤の溶液に組織標本を浸漬する際の温度および浸漬時間は、従来の免疫染色法に準じて、適切なシグナルが得られるよう適宜調整することができる。
温度は特に限定されるものではないが、室温で行うことができる。反応時間は、３０分以上２４時間以下であることが好ましい。
上述したような処理を行う前に、ＢＳＡ含有ＰＢＳなど公知のブロッキング剤やＴｗｅｅｎ２０などの界面活性剤を滴下することが好ましい。
【００３７】
（５．３）標本後処理工程
免疫染色工程を終えた組織標本は、観察に適したものとなるよう、固定化・脱水、透徹、封入などの処理を行うことが好ましい。
【００３８】
固定化・脱水処理は、組織標本を固定処理液（ホルマリン、パラホルムアルデヒド、グルタールアルデヒド、アセトン、エタノール、メタノールなどの架橋剤）に浸漬すればよい。透徹処理は、固定化・脱水処理を終えた組織標本を透徹液（キシレンなど）に浸漬すればよい。封入処理は、透徹処理を終えた組織標本を封入液に浸漬すればよい。
これらの処理を行う上での条件、たとえば組織標本を所定の処理液に浸漬する際の温度および浸漬時間は、従来の免疫染色法に準じて、適切なシグナルが得られるよう適宜調整することができる。
【００３９】
（５．４）形態観察染色工程
免疫染色工程とは別に、明視野において細胞、組織、臓器などの形態を観察することができるようにするための、形態観察染色を行ってもよい。
形態観察染色工程は、常法に従って行うことができる。
組織標本の形態観察に関しては、細胞質・間質・各種線維・赤血球・角化細胞が赤〜濃赤色に染色される、エオジンを用いた染色が標準的に用いられている。細胞核・石灰部・軟骨組織・細菌・粘液が青藍色〜淡青色に染色される、ヘマトキシリンを用いた染色も標準的に用いられている（これら２つの染色を同時に行う方法はヘマトキシリン・エオジン染色（ＨＥ染色）として知られている）。
形態観察染色工程を含める場合は、免疫染色工程の後に行うようにしてもよいし、免疫染色工程の前に行うようにしてもよい。
【００４０】
［蛍光画像の合焦方法］
続いて、蛍光画像の合焦方法について説明する。
かかる方法は、蛍光画像の合焦システム１を用いて、免疫染色後の組織標本３０から目的生体物質を検出する際に行われる方法である。
【００４１】
はじめに、免疫染色後の組織標本３０を蛍光顕微鏡１０のステージ１２に設置する。
その後、制御装置６０を用いて、組織標本３０から蛍光画像を生成しこれを画像処理して最適な合焦位置を算出する処理（合焦位置算出処理）を実行する。
【００４２】
当該合焦位置算出処理は、制御部６２と記憶部６４に記憶されているプログラムとの協働により実行され、制御部６２はそのプログラムにしたがって下記の処理を実行する。かかるプログラムとしては、たとえば「ＩｍａｇｅＪ」（オープンソース）が挙げられる。かかる画像処理ソフトウエアを利用することにより、蛍光画像から所定の波長（色）の蛍光輝点を抽出し、輝点領域の輝度値や蛍光ナノ粒子数を算出する処理を、半自動的に迅速に行いうる。
【００４３】
図２に示すとおり、制御部６２はまず、ステージ１２の焦点位置を調整して組織標本３０を対物レンズ１４の近傍に位置させる（ステップＳ１）。
その後、制御部６２は、ランプ４０を点灯させ励起光を組織標本３０に照射する。その結果、組織標本３０の蛍光ナノ粒子が蛍光発光し、蛍光輝点が出現する。制御部６２はその蛍光像を撮像素子２０に撮像させる。
その後、制御部６２は、撮像素子２０の撮像結果に基づき、蛍光像から蛍光画像を生成する（ステップＳ２）。
図３（ａ）は蛍光画像の一例である。
【００４４】
その後、制御部６２は蛍光画像に対し前処理を実行する（ステップＳ３）。
図３（ｂ）は前処理後の蛍光画像の一例である。
前処理には、自家蛍光領域を除去する処理などがある。
ステップＳ３では、たとえば、組織標本３０の作製時にエオジンで染色した場合においてエオジンの自家蛍光が発生したときは、図４に示すとおり、エオジンの自家蛍光により発生したバックグラウンド領域を除去したり、または図５に示すとおり、組織標本３０自体の自家蛍光領域を除去したりする。
【００４５】
その後、制御部６２は蛍光画像から蛍光輝点を抽出する（ステップＳ４）。
その後、制御部６２は輝点領域に対し後処理を実行する（ステップＳ５）。
「輝点領域」とは蛍光輝点が存在する領域であって、図３（ｂ）の例では白抜き部分に対応する領域である。
図３（ｃ）は後処理後の蛍光画像の一例である。
後処理には、輝点領域に対しその一部を穴埋めする処理、輝点領域に対しその一部を削除する処理などがある。
ステップＳ５では、たとえば、図６に示すとおり、リング状の輝点領域の内部を穴埋めしたり、図７に示すとおり、リング状の輝点領域を削除したりする。
【００４６】
その後、制御部６２は、輝点領域ごとに輝度値を算出し、その蛍光画像中のすべての輝点領域の輝度積分値を算出する（ステップＳ６）。
ここで、撮像素子２０の受光感度が輝点領域の蛍光強度と線形関係にないような場合、算出した輝度値をそのまま使用することができない。かかる場合、制御部６２は、輝点領域の輝度積分値を、算出される輝度値とそれを補正した補正輝度値との関係があらかじめ決定されたルックアップテーブル６６（図８参照）を用いて算出してもよい。すなわち、ルックアップテーブル６６を制御装置６０の記憶部６４に記憶しておき、制御部６２が、輝点領域ごとに、まずは輝度値を算出し、その後に記憶部６４のルックアップテーブル６６を参照しながら当該輝度値に対する補正輝度値を算出する。そして最終的に、制御部６２が、蛍光画像中のすべての輝点領域の補正輝度値を合算しこれを輝度積分値とする。
【００４７】
その後、制御部６２は、蛍光画像が一定数に達したかどうかを判断し（ステップＳ７）、蛍光画像が一定数に達するまで、ステージ１２の焦点位置を段階的に下降させ（ステップＳ８）、その都度ステップＳ２〜Ｓ６の処理を繰り返し実行する。
蛍光画像が一定数に達したら、制御部６２は、焦点位置それぞれでの輝度積分値同士を比較し、その輝度積分値が最大となる焦点位置を、蛍光画像の合焦位置とする（ステップＳ９）。
すなわち、図９に示すとおり、ステップＳ６では、焦点位置ごとにその焦点位置での蛍光画像の輝度積分値を求め、ステップＳ９において、その輝度積分値が最大となる焦点位置を、蛍光画像の合焦位置とする。
図９では９段階の焦点位置（●）で輝度積分値を算出し、５段階目の焦点位置を合焦位置とする例を示している。
【００４８】
以上の本実施形態によれば、ステージ１２の焦点位置を切り替えながらその都度蛍光画像を生成して輝度積分値を算出し、輝度積分値が最大となる焦点位置を蛍光画像の合焦位置とするため、蛍光画像の合焦位置を容易および迅速でかつ定量的に算出することができる。
【００４９】
すなわち、ステージ１２の移動制御と蛍光像の撮像および画像解析とが連動する複雑なコントロールは不要であり、特許文献３の技術とは異なり、蛍光画像の合焦位置を容易に算出することができる。
焦点位置がずれ輝点領域の輝度値が低下しても、それはそのまま輝度積分値に反映されその蛍光画像に対する処理が終了するため、Z-stack撮影を用いる方法とは異なり、蛍光画像間の同一蛍光輝点のラベリングやマッチングなども不要であり、蛍光画像の合焦位置を迅速に算出することができる。
蛍光ナノ粒子が密集してクラスター状となっている箇所でも、その輝点領域の輝度値が輝度積分値に反映され、蛍光画像の合焦位置を定量的に算出することができ、その箇所は発現レベル評価に対する寄与のウエイトにも大きく影響し、評価精度を向上させることもできる。
【００５０】
また本実施形態では、蛍光画像への前処理および輝点領域への後処理により、蛍光輝点のＳ／Ｎ比が向上し、蛍光画像のバックグラウンドノイズの影響を抑えることができる。
さらに本実施形態では、輝度積分値で合焦位置を算出するため、蛍光画像中で蛍光輝点を見失うという事象も解消しうるし、蛍光輝点が蛍光顕微鏡１０の光軸方向に分布するような場合でも、それを考慮した合焦位置を算出することができる。
【００５１】
［変形例］
ステップＳ６では、輝点領域の輝度値を蛍光ナノ粒子数に換算し、ステップＳ９では、図１０に示すとおり、その蛍光ナノ粒子数の総数が最大となる焦点位置を、蛍光画像の合焦位置としてもよい。
かかる場合、ステップＳ６では、輝点領域の輝度値を、あらかじめ走査型電子顕微鏡を用いて計測した蛍光ナノ粒子１個あたりの平均輝度値で除算し蛍光ナノ粒子数に換算すればよい。たとえば、輝点領域の輝度値が５００００で蛍光ナノ粒子１個あたりの平均輝度値が１００００である場合、蛍光ナノ粒子数は５個となる。
図１０では９段階の焦点位置（●）で蛍光ナノ粒子数の総数を算出し、５段階目の焦点位置を合焦位置とする例を示している。
【００５２】
なお、本実施形態（変形例を含む。）では、ステップＳ２においてたとえば図３（ａ）の蛍光画像を形成した場合に、その蛍光画像全体に対しステップＳ３〜Ｓ６の処理を実行し、蛍光画像の合焦位置を算出している。
これに代えて、図１１（ａ）に示すとおり、蛍光画像を複数の領域に分割しそのなかから指定した指定領域８０に対しステップＳ３〜Ｓ６の処理を実行し、蛍光画像の合焦位置を算出してもよい。または図１１（ｂ）に示すとおり、蛍光画像のなかから任意に指定した指定領域８２に対しステップＳ３〜Ｓ６の処理を実行し、蛍光画像の合焦位置を算出してもよい。
かかる場合はもちろん、ステージ１２の焦点位置を切り替えるごとに、蛍光画像間で同一の指定領域８０、８２を指定する。
【実施例】
【００５３】
本実施例では、蛍光ナノ粒子ａとしてＣｙ５内包シリカナノ粒子を作製し、蛍光ナノ粒子ａに対して抗ＨＥＲ２抗体を結合させた免疫染色剤Ａを作製した。
その後、免疫染色剤Ａを用いてヒト乳房組織の組織切片に対し免疫染色を行い、免疫染色後の組織標本における蛍光画像の合焦位置を算出した。
【００５４】
［実施例１］
（１）蛍光ナノ粒子ａの合成
下記工程（１．１）〜（１．５）の方法により、Ｃｙ５内包シリカナノ粒子を作製した。
工程（１．１）：Ｃｙ５のＮ−ヒドロキシスクシンイミドエステル誘導体（ＧＥヘルスケア社製）１ｍｇ（０．００１２６ｍｍｏｌ）とテトラエトキシシラン４００μＬ（１．７９６ｍｍｏｌ）を混合した。
工程（１．２）：エタノール４０ｍＬと１４％アンモニア水１０ｍＬを混合した。
工程（１．３）：工程（１．２）で作製した混合液を室温下で撹拌しているところに、工程（１．１）で調製した混合液を添加した。添加開始から１２時間撹拌を行った。
工程（１．４）：反応混合物を１００００Ｇで６０分遠心分離を行い、上澄みを除去した。
工程（１．５）：エタノールを加え、沈降物を分散させ、再度遠心分離を行った。同様の手順でエタノールと純水による洗浄を１回ずつ行った。
得られた蛍光ナノ粒子ａを走査型電子顕微鏡（ＳＥＭ；日立（登録商標）社製Ｓ−８００型）で観察したところ、平均粒径は１１０ｎｍ、変動係数は１２％であった。
【００５５】
（２）免疫染色剤Ａの作製
下記工程（２．１）〜（２．１２）の方法により、蛍光ナノ粒子ａに対して抗体を結合させた。
工程（２．１）：１ｍｇの蛍光ナノ粒子ａを純水５ｍＬに分散させた。次いで、アミノプロピルトリエトキシシラン水分散液１００μＬを添加し、室温で１２時間撹拌した。
工程（２．２）：反応混合物を１００００Ｇで６０分遠心分離を行い、上澄みを除去した。
工程（２．３）：エタノールを加え、沈降物を分散させ、再度遠心分離を行った。同様の手順でエタノールと純水による洗浄を１回ずつ行った。
得られたアミノ基修飾したシリカナノ粒子のＦＴ−ＩＲ測定を行ったところ、アミノ基に由来する吸収が観測でき、アミノ基修飾されたことが確認できた。
【００５６】
工程（２．４）：工程（２．３）で得られたアミノ基修飾したシリカナノ粒子を、ＥＤＴＡ（エチレンジアミン四酢酸）を２ｍＭ含有したＰＢＳを用いて３ｎＭに調整した。
工程（２．５）：工程（２．４）で調整した溶液に、最終濃度１０ｍＭとなるようＳＭ（ＰＥＧ）１２（サーモサイエンティフィック社製、ｓｕｃｃｉｎｉｍｉｄｙｌ−［（Ｎ−ｍａｌｅｏｍｉｄｏｐｒｏｐｉｏｎａｍｉｄ）−ｄｏｄｅｃａｅｔｈｙｌｅｎｅｇｌｙｃｏｌ］ｅｓｔｅｒ）を混合し、１時間反応させた。
工程（２．６）：反応混合液を１００００Ｇで６０分遠心分離を行い、上澄みを除去した
工程（２．７）：ＥＤＴＡを２ｍＭ含有したＰＢＳを加え、沈降物を分散させ、再度遠心分離を行った。同様の手順による洗浄を３回行った。最後に５００μＬのＰＢＳを用いて再分散させた。
【００５７】
工程（２．８）：抗ＨＥＲ２抗体１００μｇを１００μＬのＰＢＳに溶解させたところに、１Ｍジチオスレイトール（ＤＴＴ）を添加し、３０分反応させた。
工程（２．９）：反応混合物についてゲルろ過カラムにより過剰のＤＴＴを除去し、還元化抗ＨＥＲ２抗体溶液を得た。
【００５８】
工程（２．１０）：蛍光ナノ粒子ａを出発原料として工程（２．７）で得られた粒子分散液と工程（２．９）で得られた還元化抗ＨＥＲ２抗体溶液とをＰＢＳ中で混合し、１時間反応させた。
工程（２．１１）：１０ｍＭメルカプトエタノール４μＬを添加し、反応を停止させた。
工程（２．１２）：反応混合物を１００００Ｇで６０分遠心分離を行い、上澄みを除去した後、ＥＤＴＡを２ｍＭ含有したＰＢＳを加え、沈降物を分散させ、再度遠心分離を行った。同様の手順による洗浄を３回行った。最後に５００μＬのＰＢＳを用いて再分散させ、抗ＨＥＲ２抗体が結合されたＣｙ５内包シリカナノ粒子（免疫染色剤Ａ）を得た。
【００５９】
（３）組織標本の免疫染色
下記工程（３．１）〜（３．１０）の方法により、免疫染色剤Ａを用い、ヒト乳房組織の組織切片に対し免疫染色を行った。組織切片はコスモバイオ社製の組織アレイスライド（ＣＢ−Ａ７１２）を用いた。
【００６０】
工程（３．１）：キシレンを入れた容器に組織切片を３０分浸漬させた。途中３回キシレンを交換した。
工程（３．２）：エタノールを入れた容器に組織切片を３０分浸漬させた。途中３回エタノールを交換した。
工程（３．３）：水を入れた容器に組織切片を３０分浸漬させた。途中３回水を交換した。
工程（３．４）：１０ｍＭクエン酸緩衝液（ｐＨ６．０）に組織切片を３０分浸漬させた。
工程（３．５）：１２１度で１０分オートクレーブ処理を行った。
工程（３．６）：ＰＢＳを入れた容器に、オートクレーブ処理後の切片を３０分浸漬させた。
工程（３．７）：１％ＢＳＡ含有ＰＢＳを組織に載せて、１時間放置した。
工程（３．８）：１％ＢＳＡ含有ＰＢＳで０．０５ｎＭに希釈した抗ＨＥＲ２抗体が結合された免疫染色剤Ａを、各組織切片に載せて３時間放置した。
工程（３．９）：ＰＢＳを入れた容器に、染色後の切片をそれぞれ３０分浸漬させた。
工程（３．１０）：Ｍｅｒｃｋ  Ｃｈｅｍｉｃａｌｓ社製Ａｑｕａｔｅｘを滴下後、カバーガラスを載せ封入した。
【００６１】
（４）合焦位置の算出
図１と同様の蛍光画像の合焦システムを用いて図２の合焦位置算出処理を実行し、上記組織標本から蛍光画像を生成し蛍光画像の合焦位置を算出した。
蛍光顕微鏡として、カールツアイス社製正立顕微鏡Ａｘｉｏ  Ｉｍａｇｅｒ  Ｍ２を用い、対物レンズを２０倍に設定し、波長６３０〜６７０ｎｍの励起光を照射し、組織標本から発せられる蛍光像を撮像素子（顕微鏡設置カメラ、モノクロ）で撮像し、画像解析ソフトにより合焦位置算出処理を実行した。
なお、上記カメラは画素サイズ６．４μｍ×６．４μｍ、縦画素数１０４０個、横画素数１３８８個（撮像領域８．９ｍｍ×６．７ｍｍ）を有している。
ここでは図１２に示すとおり、ステージの焦点位置を段階的に（９段階）切り替えながら、その都度蛍光画像を生成して輝度積分値を算出した。
その結果、図１３に示すとおり、５段階目の焦点位置で輝度積分値が最大となり、当該焦点位置が接眼レンズから目視で確認した合焦位置と一致していた。
【００６２】
［実施例２］
実施例１と同様の条件において、輝点領域の輝度値を、あらかじめ走査型電子顕微鏡を用いて計測した蛍光ナノ粒子１個あたりの平均輝度値で除算し蛍光ナノ粒子数に換算したところ、図１４に示すとおり、５段階目の焦点位置で蛍光ナノ粒子数の総数が最大となり、当該焦点位置も接眼レンズから目視で確認した合焦位置と一致していた。
【００６３】
［比較例１］
実施例１と同様の条件において、輝点領域の輝度値が閾値を超えたかどうかを判定し、輝点領域の蛍光輝点数をカウントした。
その結果、図１５に示すとおり、７段階目の焦点位置で蛍光輝点数の総数が最大となり、当該焦点位置は接眼レンズから目視で確認した合焦位置とは明らかにずれていた。
かかる原因は下記のように考えられた。目的生体物質の発現量が多い箇所では複数の蛍光ナノ粒子が付着するため、輝点領域の輝度値が高くなる。そのような輝点領域では、フォーカスがボケた状態でもピントが合った単一の蛍光ナノ粒子よりも輝度値が高くなることがある。そのため、図１６に示すとおり、焦点位置が切り替わっても、リング状のボケた輝点領域の蛍光輝点数を複数回にわたりカウントしてしまい、正確な蛍光輝点数を計測することができなくなってしまったと考えられた。
【符号の説明】
【００６４】
１  蛍光画像の合焦システム
１０  蛍光顕微鏡
１２  ステージ
１４  対物レンズ
１６  鏡筒
１８  接眼レンズ
２０  撮像素子
３０  組織標本
４０  ランプ
５０  蛍光キューブ
５２  励起フィルター
５４  ダイクロイックミラー
５６  吸収フィルター
６０  制御装置
６２  制御部
６４  記憶部
６６  ルックアップテーブル
７０  表示装置
８０、８２  指定領域
【図１】
0006547424.tif 000002
【図２】
0006547424.tif 000003
【図３】
0006547424.tif 000004
【図４】
0006547424.tif 000005
【図５】
0006547424.tif 000006
【図６】
0006547424.tif 000007
【図７】
0006547424.tif 000008
【図８】
0006547424.tif 000009
【図９】
0006547424.tif 000010
【図１０】
0006547424.tif 000011
【図１１】
0006547424.tif 000012
【図１２】
0006547424.tif 000013
【図１３】
0006547424.tif 000014
【図１４】
0006547424.tif 000015
【図１５】
0006547424.tif 000016
【図１６】
0006547424.tif 000017